(57)【要約】【課題】　遊技球を貯留する球タンクから球払出装置へ遊技球を誘導する球誘導樋（タンクレール）における塵埃を効率的に排除することができるパチンコ遊技機を提供すること。【解決手段】　パチンコ遊技機１０に設けられるタンクレール２００内部に第一乃至第三球誘導経路２３０、２４０、２５０を区画形成して設け、その底部には該誘導経路２３０、２４０、２５０内のゴミを流下させるゴミ流下溝２７１を各々設けると共に、該誘導経路２３０、２４０、２５０を補強するための補強板２８０を複数備える。前記補強板２８０の上部には前記タンクレール２００の少なくとも下流方向に向かって下降傾斜する傾斜面２８０ａ、２８０ｂを設け、該補強板２８０上におけるゴミや埃の堆積を防止する。【選択図】　　　図７
2004041806.tif 000002
【特許請求の範囲】
【請求項１】
　遊技球タンクに貯留されている遊技球を遊技球払出装置に誘導する球誘導樋を備えたパチンコ遊技機において、前記球誘導樋には遊技球を遊技球払出装置まで導く球誘導経路が区画形成されて設けられると共に、該球誘導経路の底部には該球誘導経路内のゴミを流下させるためのゴミ流下溝と該球誘導経路を補強する補強板が設けられ、この補強板には前記球誘導経路の少なくとも下流に向けて下降傾斜する傾斜面が設けられることを特徴とするパチンコ遊技機。
【発明の詳細な説明】
【技術分野】
【０００１】
　本発明は遊技機に関し、更に詳しくは、遊技球を球タンクから遊技球払出装置へと導く球誘導樋を備えたパチンコ遊技機に関するものである。
【背景技術】
【０００２】
　従来よりパチンコ遊技機から払い出される遊技球は、該遊技機裏面に設けられる球タンクに貯留される。この球タンクには球誘導樋や屈曲樋、次いで球払出装置等が連接される。そして、前記球払出装置から賞品球や貸し球と称して前記遊技球が払い出されると、前記球誘導樋や屈曲樋にある遊技球は払い出された分だけ流下し、これに伴って球タンクに貯留された遊技球が球誘導樋へと順次導出されていくことになる。
【０００３】
　ここで用いられる前記球誘導樋の構造を図示して説明する。
　図１０は、従来用いられる球誘導樋（以下「タンクレール」という）３００の外観斜視図を示し、図１１はその上面図を示している。タンクレール３００は、三方に立設される壁面（後面壁３０１、左側壁３０２、前面壁３０３及び膨出部３０３ａ）によって周囲が形成される。尚、このタンクレール３００の内部は全体として下流方向（図１０及び図１１においては下方向）に向かって下がる傾斜面を構成している。
【０００４】
　前記タンクレール３００の内部には第一仕切壁３２１（上部仕切壁３２１ａ、下部仕切壁３２１ｂ）及び第二仕切壁３２２が立設され、これによって球誘導経路（第一球誘導経路３２０、第二球誘導経路３３０、第三球誘導経路３４０）が三区画設けられる。つまり、前記第一球誘導経路３２０は第一仕切壁３２１と後面壁３０１から、第二球誘導経路３３０は第一及び第二仕切壁３２１、３２２から、そして第三球誘導経路３４０は前面壁３０３及び第二仕切壁３２２から各々構成される。
【０００５】
　また、前記第一球誘導経路３２０及び第二球誘導経路３３０の上流部には第一球検知板３５０が、そして第三球誘導経路３４０の上流部には第二球検知板３６０が各々設けられ、これらは所定の角度範囲で揺動自在に構成される。尚、前記第一及び第二球検知板３５０、３６０が設けられる以外の部位においては、タンクレール３００の流下端まで球誘導レール３７０（第一球誘導レール３７０ａ、第二球誘導レール３７０ｂ、第三球誘導レール３７０ｃ）が各々設けられる。
【０００６】
　前記球誘導レール３７０は、図１２（Ａ−Ａ断面図）に図示するように遊技球の大きさよりも多少大きな幅をもって設けられ、その中央には該球誘導レール３７０の全長にわたってゴミ流下溝３７５が備えられる。前記ゴミ流下溝３７５は遊技球下端部の二点と接触する幅を有すると共に、その底部は空洞形状であり、該球誘導レール３７０上のゴミや埃は、ここから落下する。更に前記球誘導レール３７０における下面側からは、前記第一、第二、第三球誘導レール３７０ａ、３７０ｂ、３７０ｃを補強する補強板３８０が備えられる。前記補強板３８０は等間隔に複数本が備えられ、空洞形状のゴミ流下溝３７５からは、その上面部分が露出することになる。
【０００７】
　そして前記タンクレール３００に遊技球が導出されると、該遊技球は膨出部３０３ａの内側（導出部誘導経路３０３ｂ）や第一及び第二球検知板３５０、３６０上へと落下し、該検知板３５０、３６０の傾斜に沿って球誘導レール３７０へと誘導される。前記球誘導レール３７０では、遊技球はゴミ流下溝３７５上を流下し、前記タンクレール３００に連接される図示しない屈曲樋へと導出されていくことになる。
【発明の開示】
【発明が解決しようとする課題】
【０００８】
　このような従来のパチンコ遊技機においては、球誘導レールの中央に空洞形状のゴミ流下溝が設けられることから、遊技球が流下する部位にはゴミや埃が溜まらないものの、該ゴミ流下溝の下部に備えられる補強板上にはゴミや埃が溜まってしまうことになる。つまり、ゴミ流下溝が空洞形状であることから補強板が露出し、この露出部分にはゴミや埃が堆積しやすくなる。そして、ここで堆積したゴミや埃が遊技球に接触したり、球誘導レールや他装置等に侵入すれば、遊技球の流下が阻害されたり、その他の異常を発生させる要因となる。
【０００９】
　そこで本発明が解決しようとする課題は、球誘導レールのみならず補強板上においてもゴミや埃が堆積しにくく、これによって安定した流下状態が得られるパチンコ遊技機を提供することにある。
【課題を解決するための手段】
【００１０】
　上記課題を解決するために、本発明のパチンコ遊技機は、遊技球タンクに貯留されている遊技球を遊技球払出装置に誘導する球誘導樋を備えたパチンコ遊技機において、前記球誘導樋には遊技球を遊技球払出装置まで導く球誘導経路が区画形成されて設けられると共に、該球誘導経路の底部には該球誘導経路内のゴミを流下させるためのゴミ流下溝と該球誘導経路を補強する補強板が設けられ、この補強板には前記球誘導経路の少なくとも下流に向けて下降傾斜する傾斜面が設けられることを要旨とするものである。
【発明の効果】
【００１１】
　上記構成を有するパチンコ遊技機によれば、遊技球タンクに貯留されている遊技球を遊技球払出装置に誘導する球誘導樋を備えたパチンコ遊技機において、前記球誘導樋には遊技球を遊技球払出装置まで導く球誘導経路を区画形成して設けると共に、該球誘導経路の底部には該球誘導経路内のゴミを流下させるためのゴミ流下溝と該球誘導経路を補強する補強板を設ける。そして、前記補強板には前記球誘導経路の少なくとも下流に向けて下降傾斜する傾斜面を設けるようにすれば、補強板上にゴミや埃が溜まりにくくなる。仮に溜まったとしても、その表面が傾斜していることから遊技球の流下を妨げる程堆積する前に自重で落下することになる。
【発明を実施するための最良の形態】
【００１２】
　以下、本発明の好適な実施の形態を図面を参照して詳しく説明する。 図１は、本発明の実施形態の一例であるパチンコ遊技機正面図を示したものである。パチンコ遊技機１０は、遊技機本体側部を構成する外枠１１と前面部のベースとなる内枠１２とを備える。そして、前記内枠１２の開口部周縁には額縁状の金枠１３が嵌められ、その内側には遊技盤１４の前面を覆うガラス扉１５が設けられる。
【００１３】
　前記ガラス扉１５の下方位置には、遊技球を貯留するための上受け皿１６と該上受け皿１６から溢れた遊技球を貯留するための下受け皿１７が縦列して設けられる。この上受け皿１６には球抜きボタン１８が設けられ、これを操作すると該上受け皿１６内の遊技球が下受け皿１７に向けて抜き落とされる。又、前記下受け皿１７の図中右側位置には、遊技球を発射するための発射レバー２０が設けられ、その回動操作量に応じて打球の強さが調整されると共に発射モータの電源が投入される。更に前記発射レバー２０には遊技球を単発するための単発スイッチ２１が備えられ、遊技状況に応じて使い分けることが可能に構成される。
【００１４】
　このパチンコ遊技機１０の一側にはプリペイドカードによる球の貸し出しを行うプリペイドカードユニット３０が設置され、その操作は、前記上受け皿１６の前面に設けられる球貸し操作部３１によって行われる。球貸し操作部３１には、プリペイドカードによる球の貸出しを操作する球貸しボタン３２、その可否状態を示す球貸しランプ３３、カード挿入口からプリペイドカードを排出させるカード返却ボタン３４、プリペイドカードの残高表示及びエラー表示を行う度数表示部３５等が備えられる。 
【００１５】
　そして、前記遊技盤１４面のほぼ中央には特別図柄表示装置５０が設けられ、その画面には数字やキャラクタ等の図柄が動画表示されると共に、所定の遊技状況の発生に基づいて変動を開始する判定用図柄５１（左図柄５１ａ、中図柄５１ｂ、右図柄５１ｃ）が表示される。この特別図柄表示装置５０の真下位置には常時入賞可能な第一始動入賞口５２ａと、可変翼が開放された時にのみ入賞可能となる第二始動入賞口５２ｂを備える始動入賞口５２が設けられ、該始動入賞口５２に遊技球が入賞すると前記判定用図柄５１が変動を開始する。
【００１６】
　前記始動入賞口５２の真下位置には通常は閉鎖されている大入賞口５３が設けられ、その内部には該大入賞口５３が開放された時にのみ入賞可能となる特定入賞口５４が設けられる。又、前記大入賞口５３の左右位置には普通入賞口である左落し入賞口６０、右落し入賞口６１が、その上方位置には左袖入賞口６２、右袖入賞口６３が各々設けられ、これらの入賞口へ遊技球が入賞すると所定個数の賞品球が払出される。
【００１７】
　また、前記特別図柄表示装置５０の周囲には装飾枠体６４が設けられる。この装飾枠体６４の上部に形成された半円弧形状の装飾枠部には、普通図柄表示装置６５が設けられ、「０」から「９」までの数字が７セグメントでもってデジタル表示される。更に、本遊技盤１４面には遊技球の落下方向を無作為に変更させたり、その流下速度を変化させる風車やランプ風車、左ゲート６６、右ゲート６７が設けられ、該ゲート６６、６７を遊技球が通過すると前記普通図柄表示装置６５が変動を開始し、所定図柄が表示確定されると前記始動入賞口５２の第二始動入賞口５２ｂが一定時間開放される。
【００１８】
　更に前記始動入賞口５２に遊技球が入賞すると、前記特別図柄表示装置５０の判定用図柄５１が変動を開始し、所定時間（例えば５秒間）が経過すると停止して図柄が表示確定される。ここで確定された図柄の組み合わせが予め設定される所定の組み合わせと一致すると、それまで閉鎖されていた前記大入賞口５３が開放され、いわゆる「大当たり」と称される特別な遊技状況が開始されることになる。
【００１９】
　このように、遊技盤１４面に設けられる各装置に遊技球が入賞（又は通過）すると諸処の遊技状況が発生する契機となると共に、所定個数の賞品球が前記上受け皿１６の左側上部に設けられる球出口７０から払い出される。但し、何れにも入賞しなかった遊技球は、遊技盤１４面の最下部に設けられる排出口６８から遊技盤１４の裏面へと排出されることになる。
【００２０】
　図２は、前記パチンコ遊技機１０の裏面図である。パチンコ遊技機１０の裏面には、各種装置等を取り付けるための裏セット板１５０が設けられ、該裏セット板１５０の上方には、図示しない遊技場の島から供給される遊技球を一時貯留する球タンク１００が設けられる。前記球タンク１００にはタンクレール２００が連接して設けられ、該タンクレール２００には該レール２００上における遊技球の貯留状態を検知する補給スイッチ１０４（第一スイッチ１０４ａ、第二スイッチ１０４ｂ）が設けられる。前記スイッチ１０４は、該レール２００上に球切れ状態が発生した時に作動し、図示しない遊技場の島から球タンク１００に遊技球を供給する。尚、このタンクレール２００の詳細については後述する。
【００２１】
　そして前記タンクレール２００には、図３に図示するように屈曲樋１０６が連接され、更に該屈曲樋１０６はその下流域でもって複数に分かれて各々賞球払出装置１０８と球貸払出装置１１０に連接される。前記屈曲樋１０６には、該屈曲樋１０６中における遊技球の流下状態を検知して賞球払出装置１０８及び球貸払出装置１１０の空動作を未然に防止する空切り防止スイッチ１１２（第一スイッチ１１２ａ、第二スイッチ１１２ｂ、第三スイッチ１１２ｃ）が設けられる。
【００２２】
　本パチンコ遊技機１０には多様な制御基板が設けられ、これにより遊技盤１４面に設けられる各装置等の動作が設定制御される。例えば、遊技機１０と外部の各種装置とを接続する外部出力端子１１４ａを含む外部出力端子基板１１４、前記空切り防止スイッチ１１２の作動を設定制御する空切り防止スイッチ基板１１６、更に、前記賞球払出及び貸球払出装置１０８、１１０の作動を設定制御するＣＲ賞球払出制御基板１１８、これらの制御基板の作動を設定制御する主制御基板１２０等が設けられる。尚、本遊技機１０には前記以外にも多数の装置や制御基板等が設けられるが、その図示及び説明については割愛する。
【００２３】
　次に、前記タンクレール２００の構造について説明する。図４は球タンク１００とタンクレール２００が連接され、裏セット板１５０に取り付けられた状態を示す斜視図であり、図５はその球タンク１００とタンクレール２００を遊技機裏面側から見た正面図である。
【００２４】
　球タンク１００は上部が開口する箱形状を有し、その内部における底面１００ａは一端方向（図４及び図５中左側方向）に向かって緩やかな傾斜が設けられると共に、該傾斜の終端部には遊技球をタンクレール２００へ導出する導出口１００ｂが開口される。この球タンク１００に図示しない遊技場の島から遊技球が供給されると、該遊技球は先ず底面１００ａ上に落下して一旦球速が低下し、次いで図６（Ｂ−Ｂ断面図）に図示するように、該底面１００ａの傾斜に誘導されて導出口１００ｂからタンクレール２００へと導出される。
【００２５】
　一方、前記タンクレール２００は、図７（斜視図）及び図８（上面図）に図示するように、前記裏セット板１５０への取り付け面である後面壁２０１、遊技機裏面方向から見て左方に位置する左側壁２０２、そして該後面壁２０１に平行な前面壁２０３、及び前方へ向かって膨出した膨出部２０４によってその周囲が構成される。このタンクレール２００の内部底面は、全体として下流方向（図７においては図中手前側方向、図８においては図中下方向）に向かって傾斜を有している。
【００２６】
　前記タンクレール２００の内部には、第一仕切壁２１０（上部仕切壁２１０ａ、下部仕切壁２１０ｂ）と該第一仕切壁２１０よりも高さを有する第二仕切壁２２０が設けられ、各々前記左側壁２０２からタンクレール２００の下流終端まで立設される。この第一及び第二仕切壁２１０、２２０によってタンクレール２００内部は三等分され、遊技球の経路となる第一球誘導経路２３０、第二球誘導経路２４０、第三球誘導経路２５０が区画形成される。
【００２７】
　つまり、前記第一球誘導経路２３０は後面壁２０１と第一仕切壁２１０とでもって構成される。そして、第二球誘導経路２４０は第一仕切壁２１０と第二仕切壁２２０、第三球誘導経路２５０は第二仕切壁２２０と前面壁２０３とでもって構成され、これらの誘導経路は遊技球の大きさよりも僅かに大きい幅を有する。
【００２８】
　前記第一球誘導経路２３０及び第二球誘導経路２４０の上流部には、遊技球の重さを検知する第一球検知板２１１が揺動自在に設けられる。この第一球検知板２１１は遊技球が載っていないときは上昇した位置にあり、遊技球が載る量に比例して徐々に押し下げられる。そして第一球検知板２１１が上昇した位置にあるときには、該検知板２１１上に遊技球が載っていない、つまり、遊技球の供給量が足りないことになり該検知板２１１の下部に設けられる図示しないスイッチが作動して、遊技場の島から前記球タンク１００に遊技球が供給される。
【００２９】
　また、前記第三球誘導経路２５０の上流部には、遊技球の重さを検知する第二球検知板２２１が揺動自在に設けられる。そして前記第一球検知板２１１と同様に、第二球検知板２２１が上昇した位置にあるときには該検知板２２１の下部に設けられる図示しないスイッチが作動し、遊技場の島から前記球タンク１００に遊技球が供給されることになる。
【００３０】
　そして、前記第一及び第二球誘導経路２３０、２４０における第一球検知板２１１が設けられる以外の部位、更に前記第三球誘導経路２５０における第二球検知板２２１が設けられる以外の部位においては、何れも前記タンクレール２００の下流終端まで球誘導レール２６０（第一球誘導レール２６０ａ、第二球誘導レール２６０ｂ、第三球誘導レール２６０ｃ）が各々設けられる。
【００３１】
　尚、前記球誘導レールは何れの構造も同様であることから、第一球誘導経路２３０における第一球誘導レール２６０ａを例に説明する。第一球誘導レール２６０ａは、既述したように遊技球の大きさよりも僅かに大きく構成され、その底面は該誘導レール２６０ａ内のゴミや埃を流下させる空洞形状のゴミ流下溝２７１が設けられる。そして、前記球誘導レール２６０ａの中央には一対の球誘導板２７０が立設されて該誘導レール２６０ａの下流終端位置まで設けられる。
【００３２】
　前記球誘導板２７０は、図９（ａ）Ｃ−Ｃ断面図に図示するように遊技球下端部の二点と接触し且つ該遊技球の最下部がどこにも接面しない高さを有する。そして又、前記第一球誘導レール２６０ａの下面側からは、該誘導レール２６０ａ及び球誘導板２７０を補強するための補強板２８０が設けられる。この補強板２８０は、図９（ｂ）側面図に図示するように山型形状を有し、補強板２８０の中央を頂点として前方向（下流方向）に向かって下降する傾斜面２８０ａと、後方向（上流方向）に向かって下降する傾斜面２８０ｂが設けられる。
【００３３】
　尚、前記補強板の傾斜面の形状は平面に限らず、曲面としてもよい。又、傾斜面を複数設けずに、一傾斜面としてもよい。
【００３４】
　また前記補強板２８０は、一つの補強板２８０でもって前記第一球誘導レール２６０ａのみならず、第二、第三球誘導レール２６０ｂ、２６０ｃをも同時に補強する。つまり、一つの補強板が各球誘導レールと下面側から直角に交差する位置に備えられ、これをもって各球誘導レールと該各球誘導レールに設けられる球誘導板とを同時に補強することになる。この補強板は前記球誘導レールを補強すべく等間隔に且つ複数本備えられ、そして既述したように、前記第一球誘導レール２６０ａは空洞形状のゴミ流下溝２７１を有することから、前記補強板２８０の傾斜面２８０ａ、２８０ｂは該ゴミ流下溝２７１から露出することになる。
【００３５】
　このようなタンクレール２００に遊技球が導出されると、該遊技球は先ず膨出部２０４内部や第一、第二球検知板２１１、２２１上に落下し、次いで該検知板２１１、２２１の傾斜に沿って球誘導レール２６０（第一、第二、第三球誘導レール２６０ａ、２６０ｂ、２６０ｃ）へと誘導される。そして、前記球誘導レール２６０に導出された遊技球は球誘導板２７０上を流下し、前記タンクレール２００に連接される図示しない屈曲樋へと導出されていくことになる。
【００３６】
　つまり、前記タンクレールに導出された遊技球は、その内部底面の傾斜に沿って球検知板、次いで球誘導レールを流下していくことになる。このとき前記球誘導レールにおいては、その底面には空洞形状のゴミ流下溝２７１が設けられることから、遊技球に付着したゴミや球誘導レール上のゴミや埃が堆積することはなく、これらによって遊技球の流下が阻害されることがない。
【００３７】
　そして又、前記補強板においてもその上部は上流及び下流方向に向かって傾斜する傾斜面を有することから、前記球誘導レールから落下してきたゴミや埃が堆積しにくい。もし仮にゴミや埃が溜まっても、その傾斜面と遊技球が前記タンクレールを流下する際の振動により、自然と落下していくことになる。
【００３８】
　本発明は、上記した実施形態に何ら限定されるものではなく、本発明の趣旨を逸脱しない範囲で種々の改変が可能である。例えば、球誘導レール及び該レールに設けられるゴミ流下溝及び球誘導板、更に補強板の形状や、その設置場所及び数量等においては適時変更可能である。これによって更に効率的且つ高い効果を得られる遊技機を提供できる。
【００３９】
　本発明のパチンコ遊技機によれば、遊技球を誘導する球誘導レールには空洞形状のゴミ流下溝が設けられることから、該球誘導レール内にゴミや埃が堆積されることがない。よって、前記ゴミや埃によって遊技球の流下が阻害されることがなく、該阻害に起因する異常を防止できる。そして補強板においても、その上部には傾斜面が設けられていることから、該補強板の傾斜面にゴミや埃は堆積しにくく、もし仮にゴミや埃が溜まったとしても、その傾斜と遊技球が流下してくる際の振動とによって落下する。そのため、遊技球の流下を阻害する程に堆積する前には流下することになり、安定した遊技球の流下が実施され、遊技球の流下異常や該異常に関連して発生する装置類の故障等を低減させることができる。
【図面の簡単な説明】
【００４０】
【図１】本発明の実施形態におけるパチンコ遊技機の正面図である。
【図２】本パチンコ遊技機の裏面図である。
【図３】球タンク及びタンクレールが裏セット板に組み込まれた状態を示す正面図である。
【図４】球タンク及びタンクレールが裏セット板に組み込まれた状態を示す斜視図である。
【図５】その正面図である。
【図６】そのＢ−Ｂ線における断面図である。
【図７】タンクレールの斜視図である。
【図８】その上面図である。
【図９】（ａ）、（ｂ）　そのＣ−Ｃ線における断面図と補強板の側面図である。
【図１０】従来のタンクレールの斜視図である。
【図１１】従来のタンクレールの上面図である。
【図１２】従来のタンクレールのＡ−Ａ線における断面図である。
【符号の説明】
【００４１】
　　１０　　パチンコ遊技機
　２００　　タンクレール
　２６０　　球誘導レール
　２６０ａ　第一球誘導レール
　２６０ｂ　第二球誘導レール
　２６０ｃ　第三球誘導レール
　２７０　　球誘導板
　２７１　　ゴミ流下溝
　２８０　　補強板
　２８０ａ　傾斜面
　２８０ｂ　傾斜面
【図１】
2004041806.tif 000003
【図２】
2004041806.tif 000004
【図３】
2004041806.tif 000005
【図４】
2004041806.tif 000006
【図５】
2004041806.tif 000007
【図６】
2004041806.tif 000008
【図７】
2004041806.tif 000009
【図８】
2004041806.tif 000010
【図９】
2004041806.tif 000011
【図１０】
2004041806.tif 000012
【図１１】
2004041806.tif 000013
【図１２】
2004041806.tif 000014